(57)【要約】      （修正有）【課題】騒音を低減することのできるフェンスと、このフェンスを備えたミニサッカー場とを提供する。【解決手段】フェンス２は、球技場を区画するフェンス２であって；２枚のシートと、２枚のシートに挟まれる吸音フォームと、から構成されるパネル３と；パネル３の両端縁を両面から挟んで固定するスタンド４と；スタンド４を支持する基礎５と；を備えている。さらに、ミニサッカー場１は、上述したいずれかのフェンス２と；フェンス２の内面の延長線上にゴールポストが位置するように配置された一対のゴール６、６と；を備えている。【選択図】図１
0003211512.tif 000002
【実用新案登録請求の範囲】
【請求項１】
球技場を区画するフェンスであって；
２枚のシートと、前記２枚のシートに挟まれる吸音フォームと、から構成されるパネルと；
前記パネルの両端縁を両面から挟んで固定するスタンドと；
前記スタンドを支持する基礎と；を備えるフェンス。
【請求項２】
前記基礎は、前記パネルの下方において前記パネルの面内方向に延びる第１部材と、前記パネルの面外方向に延びる第２部材と、を有し、前記第１部材及び前記第２部材は前記スタンドと一体になっている、請求項１に記載されたフェンス。
【請求項３】
地表に載置される板状の重錘をさらに備え、前記第２部材の外側の末端に前記重錘が嵌め込まれている、請求項２に記載されたフェンス。
【請求項４】
前記基礎は、地中に埋設されたコンクリート塊と、前記コンクリート塊に埋設されて前記スタンドの下端が挿入されるソケットと、を有する、請求項１に記載されたフェンス。
【請求項５】
請求項１乃至請求項４のいずれか一項に記載されたフェンスと；
前記フェンスの内面の延長線上にゴールポストが位置するように配置された一対のゴールと；を備えるミニサッカー場。
【請求項６】
前記フェンスの上方に張られたネットをさらに備える、請求項５に記載されたミニサッカー場。
【考案の詳細な説明】
【技術分野】
【０００１】
本考案は、バスケットボール、バレーボール、ミニサッカーなどの球技場を区画することのできるフェンスと、フェンスによって区画されたミニサッカー場と、に関するものである。
【背景技術】
【０００２】
従来から、比較的狭い運動場や広場では、例えば、野球、サッカーその他の運動を同じグランド内で行っているため、危険防止などの観点から移動可能な簡易フェンスの設置が要望されている。
【０００３】
例えば、特許文献１には、折り畳み可能で、且つ運搬、設置が容易であり、例えば打球などが当たった場合にも十分に耐えることができる強度をそなえた可搬式フェンスが記載されている。
【先行技術文献】
【特許文献】
【０００４】
【特許文献１】特開２０００−１７９１９０号公報
【考案の概要】
【考案が解決しようとする課題】
【０００５】
しかしながら、特許文献１に記載されたフェンスは、孔開き金属シートによって構成されている。そのため、フェンスにボールが衝突する都度に衝突音が発生することで、周辺環境への騒音が問題となる。
【０００６】
そこで、本考案は、騒音を低減することのできるフェンスと、このフェンスを備えたミニサッカー場とを提供することを目的としている。
【課題を解決するための手段】
【０００７】
前記目的を達成するために、本考案のフェンスは、球技場を区画するフェンスであって；２枚のシートと、前記２枚のシートに挟まれる吸音フォームと、から構成されるパネルと；前記パネルの両端縁を両面から挟んで固定するスタンドと；前記スタンドを支持する基礎と；を備えている。
【０００８】
また、本考案のミニサッカー場は、上述のフェンスと；前記フェンスの内面の延長線上にゴールポストが位置するように配置された一対のゴールと；を備えている。
【考案の効果】
【０００９】
このように、本考案のフェンスは、球技場を区画するフェンスであって；２枚のシートと、２枚のシートに挟まれる吸音フォームと、から構成されるパネルと；パネルの両端縁を両面から挟んで固定するスタンドと；スタンドを支持する基礎と；を備えている。このような構成によれば、ボールが衝突する際に発生する衝撃音を低減することのできるフェンスとなる。
【００１０】
また、本考案のミニサッカー場は、上述のフェンスと；フェンスの内面の延長線上にゴールポストが位置するように配置された一対のゴールと；を備えている。このような構成によれば、ボールが衝突する際に発生する衝撃音を低減することのできるミニサッカー場となる。
【図面の簡単な説明】
【００１１】
【図１】ミニサッカー場全体の斜視図である。
【図２】フェンス（掘削なし）の拡大斜視図である。
【図３】パネルの断面図である。
【図４】変形例のフェンス（掘削あり）の拡大斜視図である。
【図５】変形例の基礎の断面図である。
【考案を実施するための形態】
【００１２】
以下、本考案の実施の形態について図面を参照して説明する。なお、以下の実施例では、球技場としてミニサッカー場を区画するフェンスについて説明するが、これに限定されるものではなく、バスケットボール、バレーボールなどの球技場に広く本考案のフェンスを適用することができる。
【実施例】
【００１３】
まず、図１を用いて本考案のフェンス２を備える球技場としてのミニサッカー場１の全体構成を説明する。本考案のサッカー場１は、図１に示すように、ミニサッカー場１は、ミニサッカーコートを区画するフェンス２と、両側のゴール６、６と、フェンス２の上方に張られたネット７と、を備えている。図示するように、本実施例のミニサッカー場１には、タッチライン及びゴールラインが描かれていない、タッチライン及びゴールラインとしてフェンス２が使用されるいわゆる「壁当て式の」ミニサッカー場である。
【００１４】
ゴール６は、左右のゴールポスト及びゴールバーと、ネットと、を備えており、ゴールポストは、フェンス２の内面の延長線上に位置するように配置される。さらに、図示しないが、サイドネットには、出入りするためのドアが設けられている。
【００１５】
ネット７は、ゴール６と平行に設置されたゴールラインとしてのフェンス２の上方に張られている。なお、図示しないが、ネット７は、タッチラインとしてのフェンス２の上方に張られていてもよい。
【００１６】
フェンス２は、図２に示すように、吸音性能を有するパネル３と；パネル３の両端縁を両面から挟んで固定するスタンド４と；スタンド４を支持する基礎５と；を備えている。
【００１７】
パネル３は、図３に示すように、金属製の２枚のシート３１、３２と、この２枚のシート３１、３２に挟まれる吸音フォーム３３と、から構成される。吸音フォーム３３としては、硬質のウレタンフォームなどの合成樹脂フォームを使用することができる。パネル３は、例えば、厚さ３０（ｍｍ）であり、０．５５（ｍｍ）の薄板状の金属板で挟むことによって構成されることが好ましい。さらに、パネル３の側面は、特別に設計されたＡＢＳ樹脂の枠によって囲むことが好ましい。
【００１８】
次に、スタンド４及び基礎５（又は５Ａ）の構成について説明する。以下では、掘削なしで可搬性に優れたスタンド４及び基礎５と、掘削ありで安定性に優れたスタンド４及び基礎５Ａと、に分けて説明する。
【００１９】
（掘削なしの例）
この場合、スタンド４は、図２に示すように、左右両側にパネル３を挟むための挟持部を有するＨ型断面の棒状に形成されるもので、地表に対して略垂直に設置される。そして、本実施例のスタンド４は、基礎５と一体に形成される。基礎５は、図２に示すように、パネル３の下方においてパネル３の面内方向に延びる第１部材５１と、パネル３の面外方向に延びる第２部材５２と、を有し、第１部材５１及び第２部材５２はスタンド４と一体になっている。さらに、第１部材５１には、パネル３が嵌め込まれる突起５１ａが設けられている。
【００２０】
そして、第２部材５２の外側の末端には、円盤状（ディスク状）に形成された重錘５３が嵌め込まれている。すなわち、重錘５３には、切欠きが設けられており、この切欠きに第２部材５２の端部が嵌め込まれている。
【００２１】
（掘削ありの例）
この場合、スタンド４は、図４に示すように、左右両側にパネル３を挟むための挟持部を有するＨ型断面の棒状に形成されるもので、地表に対して略垂直に設置される。そして、本変形例のスタンド４は、基礎５Ａと別体に形成される。
【００２２】
すなわち、基礎５Ａは、図５に示すように、地中に埋設されたコンクリート塊５５と、コンクリート塊５５に埋設されるソケット５６と、を有している。ソケット５６は、地表面に対して略垂直に設置される。そして、ソケット５６に、上方からスタンド４の下端が挿し込まれることでスタンド４を略垂直に設置することができる。
【００２３】
（効果）
次に、本実施例のフェンス２及び球技場としてのミニサッカー場１の奏する効果を列挙して説明する。
【００２４】
（１）上述してきたように、本実施例のフェンス２は、球技場を区画するフェンス２であって；２枚のシート３１、３２と、２枚のシート３１、３２に挟まれる吸音フォーム３３と、から構成されるパネル３と；パネル３の両端縁を両面から挟んで固定するスタンド４と；スタンド４を支持する基礎５（５Ａ）と；を備えている。このような構成によれば、ボールが衝突する際に発生する衝撃音を低減することのできるフェンス２となる。
【００２５】
（２）また、基礎５は、パネル３の下方においてパネル３の面内方向に延びる第１部材５１と、パネル３の面外方向に延びる第２部材５２と、を有し、第１部材５１及び第２部材５２はスタンド４と一体になっている。このような構成によれば、掘削する必要がないため可搬性に優れた球技場を提供できる。しかも、基礎５とスタンド４の剛性を高めて、ボールが衝突してもフェンス２が移動しにくくなる。
【００２６】
（３）さらに、地表に載置される板状の重錘５３をさらに備え、第２部材５２の外側の末端に重錘５３が嵌め込まれている。このように基礎５に重錘５３を嵌め込めば、いっそうフェンス２が移動しにくくなる。
【００２７】
（４）また、変形例の基礎５Ａは、地中に埋設されたコンクリート塊５５と、コンクリート塊５５に埋設されてスタンド４の下端が挿入されるソケット５６と、を有している。このように構成すれば、設営の手間は増えるものの安定性に優れた球技場を提供できる。
【００２８】
（５）さらに、本実施例のミニサッカー場１は、上述したいずれかのフェンス２と；フェンス２の内面の延長線上にゴールポストが位置するように配置された一対のゴール６、６と；を備えている。このような構成によれば、ボールが衝突する際に発生する衝撃音を低減することのできるミニサッカー場１となる。
【００２９】
（６）また、フェンス２の上方に張られたネット７をさらに備えることも好ましい。このような構成によれば、ボールがミニサッカー場１の外に飛び出ることを防止できる。
【００３０】
以上、図面を参照して、本考案の実施例を詳述してきたが、具体的な構成は、この実施例に限らず、本考案の要旨を逸脱しない程度の設計的変更は、本考案に含まれる。
【符号の説明】
【００３１】
１          ミニサッカー場
２          フェンス
３          パネル
３１、３２  シート
３３        吸音フォーム
４          スタンド
５          基礎
５１        第１部材
５２        第２部材
５３        重錘
５Ａ        基礎
５５        コンクリート塊
５６        ソケット
６          ゴール
７          ネット
【図１】
0003211512.tif 000003
【図２】
0003211512.tif 000004
【図３】
0003211512.tif 000005
【図４】
0003211512.tif 000006
【図５】
0003211512.tif 000007